(57)【要約】【課題】  待機状態からの予約録画記録状態を判断し、表示部の減光又はオフ状態にし、映像音声信号の出力をオフする情報記録再生装置及び情報記録再生方法を提供する。  【解決手段】  記録媒体に対し映像・音声信号を記録再生可能な情報記録再生装置において、操作要求を入力する操作入力部１８と、この操作入力部１８から入力される録画予約設定情報に基づいて録画予約を設定する録画予約設定手段２１と、装置本体の電源がオン状態または待機状態を検出する電源状態検出処理手段２５と、この電源状態検出処理手段２５によって待機状態が検出された場合、録画予約設定手段２１の録画予約設定情報に基づいて録画予約開始時刻に達したかどうか判断するタイマー手段１９と、このタイマー手段１９によって録画予約開始時刻に達したと判断された場合、装置本体の状態を表示する表示部の輝度を減光制御する表示輝度制御手段２４とを具備することを特徴とする。【選択図】  図１
2005346756.tif 000002
【特許請求の範囲】
【請求項１】
記録媒体に映像・音声信号を記録または前記記録媒体から前記映像・音声信号を再生することが可能な情報記録再生装置において、
ユーザからの操作要求を入力する操作入力部と、
この操作入力部から入力される録画予約設定情報に基づいて録画予約を設定する録画予約設定手段と、
前記装置本体の電源がオン状態または待機状態を検出する電源状態検出処理手段と、
この電源状態検出処理手段によって待機状態が検出された場合、前記録画予約設定手段の録画予約設定情報に基づいて録画予約開始時刻に達したかどうか判断するタイマー手段と、
このタイマー手段によって録画予約開始時刻に達したと判断された場合、前記装置本体の状態を表示する表示部の輝度を減光制御する表示輝度制御手段とを具備することを特徴とする情報記録再生装置。
【請求項２】
前記表示輝度制御手段に対して前記表示部の輝度を変化させる動作を設定または解除を制御するスリープモード設定手段をさらに具備することを特徴とする請求項１記載の情報記録再生装置。
【請求項３】
前記表示部は、前記操作入力部によって入力された前記操作要求に対して前記装置本体の状態や時刻情報を表示することを特徴とする請求項１記載の情報記録再生装置。
【請求項４】
記録媒体に映像・音声信号を記録または前記記録媒体から前記映像・音声信号を再生することが可能な情報記録再生装置において、
ユーザからの操作要求を入力する操作入力部と、
この操作入力部から入力される録画予約設定情報に基づいて録画予約を設定する録画予約設定手段と、
前記装置本体の電源がオン状態または待機状態を検出する電源状態検出処理手段と、
この電源状態検出処理手段によって待機状態が検出された場合、前記録画予約設定手段の録画予約設定情報に基づいて録画予約開始時刻に達したかどうか判断するタイマー手段と、
このタイマー手段によって録画予約開始時刻に達したと判断された場合、前記映像・音声信号をオフ状態に制御するＡＶ出力制御手段とを具備することを特徴とする情報記録再生装置。
【請求項５】
前記ＡＶ出力制御手段に対して前記映像・音声信号の出力信号をオンオフに設定または解除することを制御するスリープ設定手段をさらに具備することを特徴とする請求項４記載の情報記録再生装置。
【請求項６】
記録媒体に映像・音声信号を記録または前記記録媒体から前記映像・音声信号を再生することが可能な装置における情報記録再生方法において、
操作入力部から入力される録画予約設定情報に基づいて録画予約を設定するステップと、
前記装置本体の電源がオン状態または待機状態を検出するステップと、
前記待機状態が検出された場合、前記録画予約設定情報に基づいて録画予約開始時刻に達したかどうか判断するステップと、
前記録画予約開始時刻に達したと判断された場合、前記装置本体の状態を表示する表示部の輝度を減光制御するステップとを具備することを特徴とする情報記録再生方法。
【請求項７】
前記表示部の輝度を変化させる動作を設定または解除を制御するステップをさらに具備することを特徴とする請求項６記載の情報記録再生方法。
【請求項８】
前記表示部は、前記装置本体の状態や時刻情報を表示することを特徴とする請求項６記載の情報記録再生方法。
【請求項９】
記録媒体に映像・音声信号を記録または前記記録媒体から前記映像・音声信号を再生することが可能な装置における情報記録再生方法において、
操作入力部から入力される録画予約設定情報に基づいて録画予約を設定するステップと、
前記装置本体の電源がオン状態または待機状態を検出するステップと、
前記待機状態が検出された場合、前記録画予約設定情報に基づいて録画予約開始時刻に達したかどうか判断するステップと、
前記録画予約開始時刻に達したと判断された場合、前記映像・音声信号をオフ状態に制御するステップとを具備することを特徴とする情報記録再生方法。
【請求項１０】
前記映像・音声信号の出力信号をオンオフに設定または解除することを制御するステップをさらに具備することを特徴とする請求項９記載の情報記録再生方法。
【発明の詳細な説明】
【技術分野】
【０００１】
この発明は、光ディスクやハードディスク等の記録媒体を対象とする情報記録再生装置に関し、特に待機状態からの予約録画記録状態を判断し、予約録画記録時の不要な表示部の照明や外部機器から発せられる不快な映像・音声を防止することができる情報記録再生装置及び情報記録再生方法に関する。
【背景技術】
【０００２】
近年、ＴＶチューナーで受信した放送番組の映像信号および音声信号を記録したり、また記録された映像信号および音声信号を再生したりと、ユーザのニーズに合った機能を盛り込んだ情報記録再生装置が一般に普及されてきている。
【０００３】
そんな中、録画時等に省電力化を支援することができるようにした情報記録再生装置が開発されてきている。特に、特開２０００−３６１４３号公報には、バックライトの電源をユーザが意図的にオフしなくても、それぞれの動作状態に最適な省電力モードを得るために、自動的にバックライトの電源を制御したり、電子機器の電源をオフできることが記載されている。もう少し具体的に言うと、予約録画が開始されるときには、使用者は記録再生装置のある場所にいない場合が多いため、録画開始を知らせる必要が少ない。そこで、予約録画手段により設定された録画記録動作状態の場合、現在時刻が予約録画設定の時間の範囲にあるとシステムコントロール回路の内部タイマーが判断し、録画開始時点からランプを点灯させないで、省電力化のためにＬＥＤ切り換え制御信号入力端子をＨｉに制御しＬＥＤを点灯するようにシステムコントロール回路を動作させるようにして省電力化を図っている。
【特許文献１】特開２０００−３６１４３号公報（段落番号００１７、頁３−４）
【発明の開示】
【発明が解決しようとする課題】
【０００４】
上記特許文献１に記載の技術によると、予約録画手段で設定された場合は、全ての録画記録状態で表示部の輝度を減光しているため、使用者がいる場合にも減光されるため、表示部の視認性が悪化しているという問題がある。
【０００５】
また、接続されているＴＶおよびオーディオアンプ等が動作状態（例えば、外部入力画面が表示されている状態）の場合の予約録画記録状態での映像・音声出力は、不意の映像・音声となり、深夜においては使用者にとって不快感なものに感じられるという問題がある。
【０００６】
そこで、本発明は上記の問題を解決するために成されたものであり、待機状態からの予約録画記録状態を判断し、表示部のディマー（減光）またはオフ状態にし、映像・音声においては出力をオフ状態にすることができる情報記録再生装置及び情報記録再生方法を提供する。
【課題を解決するための手段】
【０００７】
上記した課題を解決するために、この発明は、記録媒体に映像・音声信号を記録または前記記録媒体から前記映像・音声信号を再生することが可能な情報記録再生装置において、ユーザからの操作要求を入力する操作入力部と、この操作入力部から入力される録画予約設定情報に基づいて録画予約を設定する録画予約設定手段と、前記装置本体の電源がオン状態または待機状態を検出する電源状態検出処理手段と、この電源状態検出処理手段によって待機状態が検出された場合、前記録画予約設定手段の録画予約設定情報に基づいて録画予約開始時刻に達したかどうか判断するタイマー手段と、このタイマー手段によって録画予約開始時刻に達したと判断された場合、前記装置本体の状態を表示する表示部の輝度を減光制御する表示輝度制御手段とを具備することを特徴とする。
【０００８】
また上記した課題を解決するために、この発明は、記録媒体に映像・音声信号を記録または前記記録媒体から前記映像・音声信号を再生することが可能な情報記録再生装置において、ユーザからの操作要求を入力する操作入力部と、この操作入力部から入力される録画予約設定情報に基づいて録画予約を設定する録画予約設定手段と、前記装置本体の電源がオン状態または待機状態を検出する電源状態検出処理手段と、この電源状態検出処理手段によって待機状態が検出された場合、前記録画予約設定手段の録画予約設定情報に基づいて録画予約開始時刻に達したかどうか判断するタイマー手段と、このタイマー手段によって録画予約開始時刻に達したと判断された場合、前記映像・音声信号をオフ状態に制御するＡＶ出力制御手段とを具備することを特徴とする。
【発明の効果】
【０００９】
この発明によれば、待機状態からの予約録画動作に関して予約録画記録時の不要な表示部の照明の省電力化を実現することができる。すなわち、待機状態とは１次電源（コンセント）がオン状態、２次電源（情報記録再生装置自体）がオフ状態のことを言い、この待機状態では使用者が情報記録再生装置のある場所にいない可能性が非常に高いことに着目し、本発明ではこの待機状態から予約録画が開始された場合に表示部の照明を減光またはオフ状態にすることで、使用者がいる場合には減光せず表示部の視認性を良くすることができる。
【００１０】
また、外部機器（例えばＴＶ）が外部入力画面状態になっていた場合に予約録画が開始されると、外部機器から発せられる映像信号・音声信号の出力をオフ制御して使用者に対して不快感を感じさせないようにすることができ、操作性の改善を実現するものである。
【００１１】
また、通常の録画およびコピーにおいて表示部の照明や映像・音声出力が不要な場合も容易な操作により同様な効果が得られる。
【発明を実施するための最良の形態】
【００１２】
以下、この発明の実施例について、図面を参照しながら詳細に説明する。
【００１３】
図１は、本発明の情報記録再生装置に係る実施の形態の概略構成を示すブロック図である。図１に示す情報記録再生装置は、ＤＶＤ又はハードディスクに記録されたプログラム等の情報を再生したり、およびＤＶＤ又はハードディスクにプログラム等の情報を記録したりする。
【００１４】
図１に示すように、情報記録再生装置は、ＴＶ（Television）チューナ部１２および外部機器１１からの情報を入力するＡＶ（Audio Video）入力端子１３と、記録再生を構成するエンコーダ／デコーダ部１４と、ＥＣＣ（Error Correction Code）ブロックデータの生成を行なうＤ−ＰＲＯ（Data Processor）部１５と、ハードディスクに対して情報の読み書きを行なうＨＤＤ（Hard Disk Drive）部１６と、ＤＶＤ（Digital Versatile Disk）−ＲＡＭ（Random Access Memory），ＤＶＤ−Ｒ（Recordable）等のディスクＤに対して情報の読み書きを行なうディスクドライブ部１７と、ユーザからの操作要求を入力する操作入力部１８と、予約録画の動作を制御するタイマーマイクロコンピュータ部１９と、装置本体の動作を制御するシステムコントローラ部２０と、ユーザに通知するための表示部２７と、装置本体に電源を供給する電源部２８と、再生情報出力をオフにするＡＶ出力オフ部２６と、デジタル映像音・声信号をアナログ信号に変換をするためのＤ／Ａ部２９と、再生情報を出力するＡＶ出力端子３０等を備えている。
【００１５】
システムコントロール部２０は、予約録画設定処理部２１と、スリープモード設定処理部２２と、ＡＶ出力制御部２３、表示輝度制御部２４と、電源状態検出処理制御部２５等々を備え、制御プログラムにしたがい、ＨＤＤ部１６およびディスクドライブ部１７に対する記録制御、再生制御、ダビング制御、削除制御、操作入力部１８の入力に応じた情報記録再生装置の動作の変更、表示部２７を用いたユーザへの表示等を実行する。
【００１６】
予約録画設定処理部２１は、操作入力部１８から入力されるユーザが設定した予約録画情報に応じて録画に関した制御処理を行なう。
【００１７】
スリープモード設定処理部２２は、操作入力部１８から入力されるスリープモード設定情報に基づきスリープモードを設定し、ＡＶ出力制御部２３および表示輝度制御部２４へ、制御信号を出力する。
【００１８】
ＡＶ出力制御部２３は、スリープモード設定処理部２２から出力される制御信号に基づきＡＶ出力オフ切換信号を生成し、ＡＶ出力オフ部２６へ出力する。
【００１９】
表示輝度制御部２４は、スリープモード設定処理部２２から出力される制御信号に基づき表示輝度を変化をさせる制御信号を生成し、表示部２７へ出力する。
【００２０】
電源状態検出処理制御部２５は、装置本体の電源がオン状態かまたは待機状態かを検知し、待機状態での予約録画時にスリープモードの自動設定を行なう信号を生成するための制御信号を、スリープモード設定処理部２２へ出力する。
【００２１】
表示部２７は、情報記録再生装置の状態を表示するものであり、その表示のための情報は、装置の本体パネルや、ＡＶ出力データやユーザの入力情報とあわせて外部装置として、例えば、ＴＶ受信機等に出力される。
【００２２】
操作入力部１８は、ユーザからの操作要求、例えば、情報記録再生装置の動作の変更や予約録画情報等を受け付けるもので、例えば、図示しないリモートコントローラとこのリモートコントローラからの操作情報を受信する受信部とで構成される。
【００２３】
タイマーマイクロコンピュータ部１９は、ユーザが設定した予約録画情報を管理し、予約録画開始時刻に達したら、システムコントローラ部２０に記録開始を指示し、予約録画終了時刻に達したら、システムコントローラ部２０に記録終了を指示する。
【００２４】
録画は、ＨＤＤ部１６またはディスクドライブ部１７により行なわれる。例えば、ＨＤＤ部１６は、ディスクドライブ部１７によりＤＶＤ−ＲＡＭに録画されるデータと同じデータを記録し、ディスクドライブ部１７（ディスク）単独では難しい特殊処理（タイムシフト、書き込みエラー処理など）を実現可能としている。ＨＤＤ部１６は、例えば１６０ＧＢのハードディスクドライブである。さらに、このＨＤＤ部１６とディスクドライブ部１７の記録先であるＤＶＤ−ＲＡＭを組み合わせることにより、長時間の記録には、大容量のハードディスクを使用し、長期保存が必要な場合にはＤＶＤ−ＲＡＭを使用することにより、両者の長所をシステムに取り込むことができる。
【００２５】
ＡＶ信号の流れは、次のようになる。
【００２６】
本発明に係る情報記録再生装置には、ＴＶ録画をするためのチューナの他、外部機器からの映像・音声信号が入力される端子が設けられている。
【００２７】
外部機器１１からのＡＶ信号はＡＶ入力端子１３へ供給される。操作入力部１８からのユーザ指示に応じてＡＶ入力端子１３またはＴＶチューナ１２からのＡＶ信号のいずれか一方を選択し、この選択したＡＶ信号をエンコーダ／デコーダ部１４へ供給する。
【００２８】
エンコーダ／デコーダ部１４は、入力されたＡＶ信号を所定フォーマットのデジタル信号に変換した後、映像ストリームおよび音声ストリームを圧縮符号化処理し、この圧縮符号化処理された記録ストリームをＤ−ＰＲＯ部１５へ出力する。なお、エンコーダ／デコーダ部１４は、映像ストリームおよび音声ストリームをＭＰＥＧ２規格で圧縮符号化処理し、この圧縮符号化処理された記録ストリームをＤ−ＰＲＯ部１５へ出力することもできる。
【００２９】
Ｄ−ＰＲＯ部１５は、例えば１６パック毎に２重にエラー訂正コードを付加し、ＥＣＣブロックを形成する。このＤ−ＰＲＯ部１５で生成されたＥＣＣブロックのデータは、ディスクドライブ部１７によりディスクＤに記録されたり、またはＨＤＤ部１６によりハードディスクに記録されたりする。
【００３０】
ディスクドライブ部１７、またはＨＤＤ部１６は再生時、この再生した再生ストリームをエンコーダ／デコーダ部１４へ出力する。エンコーダ／デコーダ部１４は、ディスクドライブ部１７、またはＨＤＤ部１６から入力された再生ストリームをデコードすることにより元の映像ストリーム、音声ストリームを得る。エンコーダ／デコーダ部１４は、映像ストリームおよび音声ストリームをＡＶ出力オフ部２６へ出力する。なお、エンコーダ／デコーダ部１４は、映像ストリームおよび音声ストリームがＭＰＥＧ２規格でエンコードされている場合でもデコードすることができる。
【００３１】
ＡＶ出力オフ部２６は、ＡＶ出力制御部２３の制御信号に応じた、映像ストリームおよび音声ストリームのオンまたはオフの切換を行ないＤ／Ａ部２９へ出力する。Ｄ／Ａ部２９は、ＡＶ出力オフ部２６から入力された映像ストリームおよび音声ストリームをアナログ映像・音声信号に変換してＡＶ出力端子３０へ出力する。
【００３２】
ＡＶ出力端子３０は、Ｄ／Ａ部２９から入力された映像信号および音声信号をＴＶ３１へ出力する。
【００３３】
ここで、情報記録再生装置が、予約録画、コピーの動作について説明する。この場合、予約録画とは、ユーザが設定した開始日時から、ユーザが設定したＴＶチューナまたは外部入力の情報をディスクＤおよびハードディスクに記録開始し、ユーザが設定した終了日時に記録を終了させる動作である。
【００３４】
また、コピーとは、ユーザが指定した情報、例えば予約録画で記録した映像情報を、ユーザが指定した光ディスクまたはハードディスクにコピーする動作であり、コピー元に情報を残したまま情報を転送する複製、コピー元の情報を削除する移動、コピー元の情報を変換しながら転送する複製等の種類がある。コピー元の情報の変換とは、例えば同じ記録方式で、記録ビットレートを変換したり、記録方式を変換したりすることである。
【００３５】
次に、情報記録再生装置の録画記録の際の処理について図２のフローチャートを参照に説明する。
【００３６】
まず、電源状態検出処理制御部２５は、装置本体の電源がオン状態または待機状態の情報を取り込み、録画開始の際の電源のステータスを検出する（ステップＳ１０１）。
【００３７】
電源が待機状態にある場合、タイマーマイクロコンピュータ部１９は、予約録画設定処理部２１の録画予約設定情報に基づき予約録画開始時刻に達したかどうかを判断する。予約録画開始時刻になるまで繰返す（ステップＳ１０２）。なお、電源が待機状態にある場合は使用者が情報記録再生装置のある場所にいない可能性が非常に高いことが言える。
【００３８】
予約録画開始時刻に達した場合、電源状態検出処理制御部２５は電源をオン状態にし（ステップＳ１０３）、スリープモード設定処理部２２はスリープモードの自動設定を行なう信号をＡＶ出力制御部２３および表示輝度制御部２４へ出力する。ＡＶ出力制御部２３および表示輝度制御部２４はスリープモード設定信号を受け、ＡＶ出力オフ部２６および表示部２７をスリープモードに自動設定する（ステップＳ１０４）。
【００３９】
システムコントロール部２０は、予約録画設定処理部２１の予約録画設定情報に基づき、エンコーダ／デコーダ部１４及びＨＤＤ部１６およびディスクドライブ部１７に記録開始を指示し、ディスクＤおよびハードディスクへの記録を開始させる（ステップＳ１０５）。
【００４０】
スリープモード設定処理部２２は、録画中のユーザ操作を検知し（ステップＳ１０６）、操作入力部１８から出力があった場合は、スリープモードを解除する信号を出力し、スリープモード設定を解除する（ステップＳ１０７）。
【００４１】
そして、システムコントローラ２０は、タイマーマイクロコンピュータ部１９から、予約録画終了時刻に達したことを知らせる通知を受ける。この通知を受けたシステムコントローラ２０は、エンコーダ／デコーダ部１４及びＨＤＤ部１６およびディスクドライブ部１７に記録終了を指示し、ディスクＤおよびハードディスクへの記録を終了させる（ステップＳ１０８）。
【００４２】
その後、システムコントローラ２０は、エンコーダ／デコーダ部１４及びディスクドライブ部１５の記録終了が確認できたら、電源を待機状態にする（ステップＳ１０９）。
【００４３】
次に、電源がオン状態にある場合、タイマーマイクロコンピュータ部１９は予約録画設定処理部２１の録画予約設定情報に基づき予約録画開始時刻に達したかどうかを判断する（ステップＳ１１０）。予約録画開始時刻になるまでは通常録画またはコピーの指示がユーザ操作により行なわれるか判断する（ステップＳ１１１）。
【００４４】
予約録画開始時刻になるか、通常録画またはコピーの指示があった場合は、システムコントロール部２０は、予約録画設定処理部２１の予約録画設定情報に基づき、エンコーダ／デコーダ部１４及びＨＤＤ部１６およびディスクドライブ部１７に記録開始を指示し、ディスクＤおよびハードディスクへの記録を開始させる（ステップＳ１１２）。
その後、システムコントローラ２０は、タイマーマイクロコンピュータ部１９から、予約録画終了時刻に達したことを知らせる通知を受ける。この通知を受けたシステムコントローラ２０は、エンコーダ／デコーダ部１４及びＨＤＤ部１６およびディスクドライブ部１７に記録終了を指示し、ディスクＤおよびハードディスクへの記録を終了させる（ステップＳ１１３）。
【００４５】
次に、情報記録再生装置のスリープモード設定がユーザー対応の際の処理について図３のフローチャートを参照に説明する。
【００４６】
まず、図２のＳ１０１からＳ１０９までは同じ処理となる。なお、図３のＳ２０１からＳ２０９は図２のＳ１０１からＳ１０９に対応する。
【００４７】
電源がオン状態で予約録画開始時刻になるか（ステップＳ２１０）、通常録画またはコピーの指示があった場合は（ステップＳ２１１）、システムコントロール部２０は、予約録画設定処理部２１の予約録画設定情報に基づき、エンコーダ／デコーダ部１４及びＨＤＤ部１６およびディスクドライブ部１７に記録開始を指示し、ディスクＤおよびハードディスクへの記録を開始させる（ステップＳ２１２）。
【００４８】
そして、録画およびコピー中にユーザ操作によるスリープモードの設定指示があるかを判断し（ステップＳ２１４）、スリープモード設定があった場合は、スリープモード設定処理部２２はスリープモードの設定を行なう信号をＡＶ出力制御部２３および表示輝度制御部２４へ出力する。ＡＶ出力制御部２３および表示輝度制御部２４はスリープモード設定信号を受け、ＡＶ出力オフ部２６および表示部２７をスリープモードに設定する（ステップＳ２１５）。
【００４９】
スリープモード設定処理部２２は、録画中のユーザ操作を検知し（ステップＳ２０６）、操作入力部１８から出力があった場合は、スリープモードを解除する信号を出力し、スリープモード設定を解除する（ステップＳ２０７）。
【００５０】
そして、システムコントローラ２０は、タイマーマイクロコンピュータ部１９から、予約録画終了時刻に達したことを知らせる通知を受ける。この通知を受けたシステムコントローラ２０は、エンコーダ／デコーダ部１４及びＨＤＤ部１６およびディスクドライブ部１７に記録終了を指示し、ディスクＤおよびハードディスクへの記録を終了させる（ステップＳ２０８）。
【００５１】
その後、システムコントローラ２０は、エンコーダ／デコーダ部１４及びディスクドライブ部１５の記録終了が確認できたら、電源を待機状態にする（ステップＳ２０９）。
【００５２】
また、スリープモード設定があった場合は（Ｓ２１４のＹ）、その後、システムコントローラ２０は、タイマーマイクロコンピュータ部１９から、予約録画終了時刻に達したことを知らせる通知を受ける。この通知を受けたシステムコントローラ２０は、エンコーダ／デコーダ部１４及びＨＤＤ部１６およびディスクドライブ部１７に記録終了を指示し、ディスクＤおよびハードディスクへの記録を終了させる（ステップＳ１１３）。
【００５３】
上記した実施の形態及びその変形例において、録画およびコピー中におけるスリープモード設定の切換は、ユーザが、操作入力部１８のメニュー表示キーを操作することによって行なわれる。すなわち、録画およびコピー中にメニュー表示キーが操作されると、図４に示すように、その状態で操作が有効な各種のモードのメニュー画面Ｍが表示される。
【００５４】
そして、ユーザは、このメニュー画面Ｍに含まれる「スリープモード設定」メニューＭａを選択することにより、録画またはコピー時に表示輝度変化およびＡＶ出力をオンさせるかまたはオフさせるかを切換ることができる。
【００５５】
以上説明したように、本発明は待機状態では使用者が情報記録再生装置のある場所にいない可能性が非常に高いことに着目し、予約録画が開始されてから終了するまで表示部の照明を減光またはオフ状態にすることができる。そうすることで、使用者が情報記録再生装置のある場所にいないときにのみ減光またはオフ状態とすることができ、予約録画が開始される度に表示部の照明を減光またはオフ状態として使用者の視認性を悪くするようなことはない。
【００５６】
また、外部機器である例えばＴＶ等が外部入力画面状態になっていた場合に予約録画が開始されると、通常であれば外部機器から映像信号・音声信号が発せられ、使用者に不快感を感じさせてしまう。しかし、本発明はこのような場合でも外部機器から発せられる映像信号・音声信号の出力をオフ制御して使用者に対して不快感を感じさせないようにすることができ、操作性の改善を実現するものである。
【００５７】
また、通常の録画およびコピーにおいて表示部の照明や映像・音声出力が不要な場合も容易な操作により同様な効果が得られる。
【００５８】
なお、本発明は、上記実施形態に限定されるものではなく、実施段階では、その要旨を逸脱しない範囲で種々に変形することが可能である。
【図面の簡単な説明】
【００５９】
【図１】本発明の一実施の形態による情報記録再生装置の概略構成図。
【図２】同実施の形態に係る情報記録再生装置の録画記録の際の処理を示すフローチャート。
【図３】同実施の形態に係る情報記録再生装置のスリープモード設定がユーザー対応の際の処理を示すフローチャート。
【図４】同実施の形態に係る情報記録再生装置のスリープモード設定を切り替えるを示すメニュー画面。
【符号の説明】
【００６０】
１１  外部機器
１２  ＴＶチューナ部
１３  ＡＶ入力端子
１４  エンコーダ／レコーダ部
１５  Ｄ−Ｐｒｏ部
１６  ＨＤＤ部
１７  ディスクドライブ部
１８  操作入力部
１９  タイマーマイクロコンピュータ部
２０  システムコントローラ部
２１  予約録画設定処理部
２２  スリープモード設定処理部
２３  ＡＶ出力制御部
２４  表示輝度制御部
２５  電源状態検出処理制御部
２６  ＡＶ出力オフ部
２７  表示部
２８  電源部
２９  Ｄ／Ａ部
３０  ＡＶ出力端子
３１  ＴＶ（テレビ）
Ｄ  情報記録媒体
【図１】
2005346756.tif 000003
【図２】
2005346756.tif 000004
【図３】
2005346756.tif 000005
【図４】
2005346756.tif 000006